(57)【要約】  カラーホイールを周ることにより活性化された場合に光源１２０から発せられる光の色を変化させる中央のボタン１４０と、活性化された場合に前記光の彩度を変化させる彩度ボタン１４５、１５０と、活性化された場合に前記光の色相を調整する色相ボタン１５５、１６０とを含む光源１２０を制御するためのユーザインターフェース装置１００である。中央の、彩度及び色相ボタンは、別個のボタンである又は１つのボタン２１０に統合されているものであり得る。ユーザインターフェース装置１００は、更に、中央のボタン１４０から離間されて位置されていると共に、活性化された場合に前記光の強度を変化させるブライトネスボタン１１０を含んでいる。
2009521087.tif 000002
【特許請求の範囲】
【請求項１】
光源を制御するためのユーザインターフェース装置であって、
−  前記光源から発せられる光の色を変化させる中央のボタンと、
−  前記光の彩度を変化させる彩度ボタンと、
−  前記光の色相を調整する色相ボタンと、
を有するユーザインターフェース装置。
【請求項２】
前記中央のボタンは、カラーホイールを周ることによって前記色を変化させる、請求項１に記載のユーザインターフェース装置。
【請求項３】
前記彩度ボタンは、前記彩度を上昇させる及び低下させる、又は前記彩度を低下させる又は上昇させるため、それぞれ前記中央のボタンの上下に配されている第１部分及び第２部分を有している、請求項１に記載のユーザインターフェース装置。
【請求項４】
前記色相ボタンは、前記色相を変化させるために、前記中央のボタンの左右の側にそれぞれ位置されている第１部分及び第２部分を有している、請求項１に記載のユーザインターフェース装置。
【請求項５】
前記光の強度を変化させるブライトネスボタンを更に有する、請求項１に記載のユーザインターフェース装置。
【請求項６】
前記ブライトネスボタンは、前記中央のボタンから離間されて位置されている、請求項５に記載のユーザインターフェース装置。
【請求項７】
前記中央のボタン、前記彩度ボタン及び前記色相ボタンは、別個のボタンのうちの１つである又は１つのボタンに一体化されている、請求項１に記載のユーザインターフェース装置。
【請求項８】
前記中央のボタン、前記彩度ボタン及び前記色相ボタンは、異なるしるしを含んでいる、請求項６に記載のユーザインターフェース装置。
【請求項９】
前記しるしは、前記中央のボタン、前記彩度ボタン及び前記色相ボタンの機能を示すものである、請求項８に記載のユーザインターフェース装置。
【請求項１０】
前記中央のボタンは、色の選択を示す虹のしるしを有している、請求項１に記載のユーザインターフェース装置。
【請求項１１】
前記中央のボタンは、前記色の全体の選択を提供し、前記色相ボタンは、前記色の色相の微調整を提供する、請求項１に記載のユーザインターフェース装置。
【請求項１２】
色及び色相の少なくとも一方の変化可能な外観を持つしるしを更に有している、請求項１に記載のユーザインターフェース装置。
【請求項１３】
より知覚される色、より知覚されない色及びグレースケールの間で色相の変化を示すために、白、灰及び黒のうちの少なくとも１つの間における変化可能な外観を有するしるしを更に有している、請求項１に記載のユーザインターフェース装置。
【請求項１４】
前記中央のボタン、前記彩度ボタン及び前記色相ボタンは、前記ユーザインターフェース装置のスクリーン上のソフトウェアボタンである、請求項１に記載のユーザインターフェース装置。
【請求項１５】
前記スクリーンは、タッチセンサ式スクリーンを含んでいる、請求項１４に記載のユーザインターフェース装置。
【請求項１６】
前記中央のボタン、前記彩度ボタン及び前記色相ボタンのうちの少なくとも１つが、抵抗及び容量性の円盤の少なくとも一方の一部である、請求項１に記載のユーザインターフェース装置。
【請求項１７】
前記中央のボタン、前記彩度ボタン及び前記色相ボタンの少なくとも１つの機能のプログラミングを提供するコントローラを更に有している、請求項１に記載のユーザインターフェース装置。
【請求項１８】
前記光源を複数の光源から選択するコントローラを更に有する、請求項１に記載のユーザインターフェース装置。
【請求項１９】
前記光の前記色、前記彩度、前記色相及び強度のうちの少なくとも１つのプリセットを記憶するメモリを更に有している、請求項１に記載のユーザインターフェース装置。
【発明の詳細な説明】
【技術分野】
【０００１】
本発明は、光源のブライトネス、色、色相及び彩度（saturation）を制御する照明制御パネル上の制御ボタンの装置に関する。
【背景技術】
【０００２】
これは、有色照明源を使用するために、劇場の、産業的な及び商業的な場においてよく知られている。このような有色照明源の設計及び設置、並びに日々の制御は、有色光のブライトネス、色、色相及び彩度特性を制御する複雑な制御システムを動作させるための専門技能及び経験を有する比較的熟練した専門の照明技術者によって、伝統的に実施されている。このような有色照明源のための制御システムは、通常比較的技術的なものであり、例えば、スクリーンベースのグラフィックユーザインターフェースを使用し、このためには、操作員が、かなりの研修及び経験を経ていると共に、色に関する人間の知覚に影響を与えるブライトネス、色相及び彩度の特性の技術的な知識を有している必要がある。
【０００３】
このような有色照明源の使用は、家庭及び他の消費者の場において、並びに小売店のような、商業上の場において、ますます一般的なものになっており、ユーザフレンドリかつ直感的な制御装置であって、これにより比較的素人の者及び不慣れな消費者又はユーザが、比較的洗練された有色照明環境を達成することができるようにされる制御装置を提供することが望ましい。このような照明システムは、家庭用又は商業用のいずれにおいても、ＬＥＤ、又はＬＥＤのような赤（Ｒ）、緑（Ｇ）及び青（Ｂ）光源の組み合わせから所望の色を構成する他の技術を使用している。
【発明の開示】
【発明が解決しようとする課題】
【０００４】
典型的な消費者／ユーザは、トグルオンオフスイッチと、トグルの、スライド可能な又は回転式の調光スイッチとが、ブライトネスを制御するのに使用されている典型的な無色の家庭用／商業用照明におけるブライトネスのパラメータの制御によく精通している。しかし、有色照明の場合、消費者は、フルカラーのスペクトルと、円の形態において色を配する可能性とに関する初歩的な知識に限定されることがあり、彩度及び色相の専門的性質について理解していない又はほとんど理解していない。従って、比較的訓練を受けていない家庭のユーザが、光の加色混合の原理の深い技術的な理解を有していない場合でさえも、ブライトネス、色、色相及び彩度のパラメータを直感的に制御することができる制御に対する必要性がある。
【課題を解決するための手段】
【０００５】
従って、これに応じて、有色光源の色、彩度、色相及びブライトネスを制御する制御装置のハウジング上の制御ボタンのための装置が、提供される。このようなボタン装置は、押下された場合、色環を検索することにより、色を循環させるように機能し、離された場合、選択されている色を選ぶように機能する中央色制御ボタンを含んでいる。上側の彩度制御ボタン及び下側の彩度制御ボタンは、それぞれ、前記色制御ボタンの上下に位置されている。前記彩度制御ボタン（例えば、前記のような上側のボタン）の押下は、色の彩度を上昇させ、他方の彩度制御ボタン（例えば、前記のような下側のボタン）の押下は、色の彩度を低下させる。左右の色相制御ボタンが、それぞれ、前記中央色制御ボタンの左右に位置されており、前記色相を調整することによって前記色を微調整する。一方の色制御ボタンの押下は、ＲＧＢカラーホイールの周りの一方の方向において色を調整し、他方の色制御ボタンの押下は、前記Ｒ-Ｇ-Ｂカラーホイールの他の方向において前記色を調整する。別個のオンオフブライトネス制御ボタンが、前記ハウジング上に、他のボタンから離間されて位置されている。前記のようなボタンは、好ましくは、特定のボタンの機能をユーザに知らせるしるしが付されている。
【発明を実施するための最良の形態】
【０００６】
更に、本発明の適用範囲は、以下に与えられる詳細な記載から明らかになる。本発明の例示的な実施例を示している詳細な記載及び特定の例は、説明の目的のためのみのものであり、本発明の範囲を限定するものではないと理解されるべきである。本発明の装置及び方法のこれらの及び他のフィーチャ、見地及び有利な点は、以下の記載、添付請求項及び添付図面から更によく理解されるであろう。
【０００７】
或る例示的な実施例の以下の記載は、本来、単に例示的なものであり、本発明、本発明の用途又は使用を限定するものではない。
【０００８】
図１に示されているように、ユーザインターフェース装置１００は、ハウジング１０５を含んでおり、ハウジング１０５は、成形プラスチックのハウジング又は何らかの他の種類のハウジングであっても良い。実例的には、ユーザインターフェース装置１００は、照明システムを制御するスタンドアロンのリモコン、又は、ユニバーサルリモート制御、パーソナル・デジタル・アシスタント（ＰＤＡ）、移動又は携帯電話等のような、他の移動若しくはハンドヘルド装置内に組み込まれているもののような、何らかの種類の移動装置であり得るリモコンである。
【０００９】
ハウジング１０５は、少なくとも１つの色照明源、有線の伝送１０７か、又は無線周波数（ＲＦ）、赤外線、超音波、光及びレーザー等のような何らかの種類のワイヤレス通信を使用するワイヤレスの伝送１０７かの何れかによって、少なくとも１つの色照明源と通信する制御を含んでいる。実例的には、ワイヤレス通信は、Ｂｌｕｅｔｏｏｔｈ（登録商標）、ＺｉｇｂｅｅＴＭ 及び ＺｅｎｓｙｓＴＭ 等のような、様々な通信規格又はプロトコルを使用するＲＦを介するものである。
【００１０】
勿論、コントローラ１００及び制御可能な光源１２０は、アンテナ、デュープレクサ、トランシーバ、変調器、復調器、ミキサ、フィルタ、変換器、プロセッサ及びメモリ等のような、従来技術においてよく知られているワイヤレス通信及び制御に必要な要素を有している。更に、制御可能な光源１２０は、バラスト及び前記光源の各々の出力（特に色）を、前記光源から発せられる構成された色の属性が変化されることができる（例えば、強度、色相及び彩度等の変化）ような仕方で変化させる電子回路を有している。
【００１１】
発光ダイオード（ＬＥＤ）等を含むソリッドステート照明（ＳＳＬ）のような、制御可能な光源と共に使用されることができる如何なる有色照明技術も、使用されることができる。即ち光源１２０は、白熱、ハロゲン、蛍光、高輝度放電（ＨＩＤ）のような、制御可能な光源の如何なる種類であっても良く、発光ダイオード（ＬＥＤ）は、自身から出る光の色及び強度を変化させるための制御に特に良好に適している。前記光源は、アクセント照明、一般照明、卓上照明、追跡照明（track lighting）、天井照明及びスポット照明等のような、様々な種類の照明を提供するための何らかの種類の器具における構成であっても良い。簡潔さのために、議論は、１つの光源を制御するユーザインターフェース装置（ＵＩＤ）又はリモコン１００に向けられる。しかしながら、この議論は、複数の光源、又は光源及び照明システムの１つの群若しくは複数の群の制御に同様に適用することができるものであると理解されたい。
【００１２】
図１に戻ると、ブライトネス制御ボタン１１０は、例えば、ハウジング１０５の左手側に取り付けられており、上側のボタン１１５及び下側のボタン１２５を含んでいる。上側のボタン１１５の押下は、光のブライトネスを上昇させる。下側のボタン１２５の押下は、光のブライトネスを低下させる。所望の通りに代替的に又は付加的に、ブライトネス制御ボタン１１０は、スイッチであり、この場合、上側のボタン１１５の長い押下が、当該光をオンに切り換え、当該光のブライトネスを上昇させ、下側のボタン１２５の長い押下が、当該光をオフに切り換える、又は望まれる場合、前記光が最終的に消えるまで前記光を調光する。ブライトネス制御ボタン１１０の切り換え機能は、調光機能に対して付加的なものであっても良い。代替的には、別個のトグルオン／オフスイッチが設けられても良く、ブライトネス制御ボタン１１０は、専ら、制御可能な光源１２０から出る光の強度の変化を提供する。
【００１３】
実例的には、上側のボタン１１５には、光線を発する大きい円の形態におけるしるし１３０が与えられており、前記下側のボタンには、光線を発する小さい円の形態におけるしるし１３５が与えられている。勿論、上向き矢印及び下向き矢印等を含む上昇された又は低下されたブライトネスを示唆するしるしのような、何らかの他の所望のしるしが与えられても良く、ボタン１１５、１２５の形状は、例えば、上側のボタン１１５については上側を指している矢印の形状、下側のボタン１２５については下側を指している矢印の形状ような、何らかの所望の形状であっても良い。
【００１４】
ユーザインターフェース装置１００は、色制御ボタン１４０と、上側の彩度ボタン１４５及び下側の彩度ボタン１５０を含む一対の彩度制御ボタンと、左側の色相ボタン１５５及び右側の色相ボタン１６０を含む一対の色相ボタンとを更に含んでいる。各ボタンは、スイッチと関連付けられており、前記スイッチは、光制御電子装置又はソフトウェアと関連している。
【００１５】
色制御ボタン１４０の押下は、色環じゅうを循環する一方で彩度は一定のレベルに保持する態様において、光源１２０を制御し、従って、ユーザが色を選択するのを可能にする。色制御ボタン１４０の押下は、前記色環を周る（circumnavigating）ことによる色の循環を開始させ、次いで、ユーザは、好適な色を選択するために前記ボタンを離す。勿論、色制御ボタン１４０及び前記ボタンの何れも、シングルクリックによって達成される調整のグラデーションを変化させることを含む様々な機能を提供するようにプログラム可能なものであることができる。例えば、色制御ボタン１４０の押下による、及び押下された色制御ボタン１４０を、離されるまで色の連続的な変化を提供するために保持することによる連続的な色の変化の代わりに又は連続的な色の変化に加えて、ユーザインターフェース装置１００は、例えば、色制御ボタン１４０の押下が、例えば、赤から、オレンジへ、黄へ、緑へ、青へ、紫へというような色環に沿った比較的大きい離散的な段階によって色を変化させるように、ユーザによってプログラムされることができ、前記離散的な段階の大きさも、コントローラ１６５によってプログラム可能なものであることができる。
【００１６】
機械的なボタンの代わりに又は機械的なボタンに加えて、例えば、インターフェース装置１００のタッチスクリーン上に表示されるソフトウェアボタン、タッチボタン又は抵抗又は容量性のタッチセンサ式の円盤に関連付け荒れている領域、インターフェース装置１００が音声命令を翻訳して処理する音声認識システムを有する音声駆動に応答するアクチュエータのような、光の特性の更なる処理及び変化のための様々な信号を供給することができるアクチュエータのような、何らかの他の種類の作動又は制御手段が、使用されることができることに留意されたい。勿論、何らかの所望のグラフィカルユーザインターフェースが、使用されても良く、特に、インターフェース装置１００がタッチセンサ式スクリーンを有しており、ソフトウェアボタン又は所望のインターフェースが、これらをクリックする若しくはアイコンをクリックすることにより、又は、例えば、ポインタ、指又はマウス等のような、ポインティングデバイスを使用してドロップダウンメニューから様々なパラメータを選択することにより、表示される、選択される及び制御されることができる実施例において使用されることができる。
【００１７】
図１に示されているように、虹の形態の色しるし１８２が、このボタンが、色の選択を制御することをユーザに通知するために色制御ボタン１４０上に付されている。上側の彩度制御ボタン１４５の押下は、一方の方向に色の彩度を変化させ、下側の彩度制御ボタン１５０の押下は、他の方向に色の彩度を変化させる。上述したように、様々なしるしが、前記ボタン上に設けられることができる。実例的には、下側の彩度制御ボタン１５０に、１つの小さいしるしの円１８４が付されており、上側の彩度制御ボタン１４５に、３つの小さい有色のしるしの円１８６、１８８、１９０が付されており、例えば、これらのボタンが、光の色及び/又は色相の変化と関連付けられていることを示している。しるしの円のこのような配置は逆にされ、有色のしるしの円１８６、１８８、１９０が、下側の彩度制御ボタン１５０上に位置され、１つのしるしの円１８４が上側の彩度制御ボタン１４５上に配されても良い。
【００１８】
勿論、前記しるしの円は、色を変化させるように構成されていても良い。付されているしるしは、単に機械的に又は物理的に付されているしるしのみを参照するものではないと理解されたい。むしろ、前記しるしは、如何なる適切な手段によっても付される又は提供されることができる。実例的には、前記しるしの円の各々は、変化可能な有色又は白色光を提供するために構成されているＬＥＤ（又は白色光も提供するためのＬＥＤのＲＧＢの三つ組）を含む。
【００１９】
ユーザは、様々なボタンの新規な配置、形状及びしるしのために、ユーザインターフェース装置１００の動作を直感的に知らされ、速く学ぶであろう。色ボタン１４０の場合、ボタンは、カラーホイールのホイール形状を思い出させる丸い形状を有しており、更に、前記丸い形状は、種々の色を経験するのに開始又は終了が存在しないという事実と一致している。更に、虹１８２が、色の選択に関連付けられているので、容易に認識されることができる。色ボタン１４０を表示の中央に位置させることにより、ユーザは、このボタンの押下が、利用可能である色のカラーホイールの前記虹の周りにおける色の循環及び変化をもたらす事実と一致して、このボタンが、主たる重要性及び機能を有するものであることを直感的に知らされる。
【００２０】
彩度ボタン１４５及び１５０は、「大体」、ブライトネス又は強度と関連付けられた階層（hierarchy）に類似する彩度の特性に関する階層が存在するので、垂直に上下に配されており、上側の彩度ボタン１４５は、（ブライトネスを増加させる上側のブライトネスボタン１１５と同様に）彩度を上昇させ、下側の彩度ボタン１５０は、（ブライトネスを低下させる下側のブライトネスボタン１３５と同様に）彩度を低下させる。彩度とは、一般に、色の色相の優性を意味し、従って、彩度は、大体、前記色の存在によって制御される。彩度が低いことは、当該色が、よりグレースケールに向かっており、当該色があまり優性ではないことを意味する。
【００２１】
上側の彩度ボタン１４５は、例えば、上側のボタン１４５の押下が、彩度の度合いを増大させる、即ちより色を与えることを示すために、赤色の円１８６、緑色の円１８８及び青色の円１９０のような、３つの有色の円１８６、１８８、１９０を持っていても良い。下側の彩度ボタン１５０は、ボタン１５０の押下が彩度の度合いを低下させる、即ち知覚される色をよりグレースケールに緩和することを示すために、白いしるしの円１８４（又は、他のボタン及び/若しくはしるしのプログラム可能性と同様に、ユーザによってプログラム可能である何らかの他の所望の色）を持っていても良い。
【００２２】
勿論、ユーザインターフェース装置１００は、何らかの異なる種類の装置を有していても良い。例えば、上側の彩度ボタン１４５は、１つのしるしの円１８４を持っていても良い一方で、下側の彩度ボタン１５０は、３つの有色の円１８６、１８８、１９０を持っていても良い。上側のしるしの円１８４の色は、光源１２０から発せられる光の現在の又は選択される色と関連付けられていても良く、３つのしるしの円１８６、１８８、１９０は、上部のしるしの円１８４の光の色の異なる彩度の指示を提供することもできる。例えば、下側の左のしるしの円１８６は、最小の彩度を提供し、下側の右のしるしの円１９０は、最大の彩度を提供し、下側の真ん中のしるしの円１８８は、光源１２０から発せられる光の現在の彩度（又はユーザ活性化の際に現在の彩度になるように選択される彩度）を提供する。ボタンが、ＬＥＤ又はＬＥＤの三つ組の代わりに、表示器又はインターフェース装置１００のスクリーン上にグラフィック表示されているソフトウェアボタンである場合、例えば、前記スクリーン上に表示されているしるしの円の色は、ソフトウェア制御の下で変化することができる。
【００２３】
「大体には」の彩度の階層が存在する彩度のパラメータとは異なり、色相の場合、色が互いに明確には又は「大体には」比較されず、むしろ色がただ異なるという意味においての「違い」があるのみである。従って、色相ボタン１５５、１６０の縦の配置は、これらの直感的な使用を加えるものではなく、実例的には、色相制御ボタン１５５、１６０が、色ボタン１４０の左右に位置されている横位置に配されている。色相制御ボタン１５５、１６０を押下することにより、ユーザは、色ボタン１４０の押下を介して初期の色の更に粗い選択と比較して、色の非常に細かい違いを得ることができる。左の色相制御ボタン１５５は、左側を指している矢印１９２の形態におけるしるしを付されており、右側の制御ボタン１６０は、右側を指している矢印１９４を付されている。中央の色制御ボタン１４０のちょうど左右におけるこれらの矢印の位置は、ユーザに、ボタン１５５及び１６０は、所望の色相を達成するために代替的に押下されることができることを更に通知する。右側の色相ボタン１６０の押下は、前記色環に沿った一方の方向に色相を変化させ、左側の色相ボタン１５５の押下は、他の方向において前記色相を変化させる。従って、このようなボタンの配置は、色制御の直感的な仕方を提供する。
【００２４】
図２を参照すると、ハウジング２０５を持つユーザインターフェース装置２００の第２の実施例が、示されている。ブライトネス制御ボタン１１０は、図１の第１の実施例のものと同一であり、同様の符号によって示されている。ブライトネス制御ボタン１１０は、ハウジング２０５の左手側に取り付けられており、図１に関連して議論されたのと同じ態様において動作する上側のボタン１１５及び下側のボタン１２５を含んでおり、類似のしるしを含んでいても良い。
【００２５】
ユーザインターフェース装置２００は、更に、前記色を選択するように動作される１つのシャトルスイッチボタン２１０を有しており、１つのシャトルスイッチボタン２１０は、再び図１に関連して記載されたのと同様に、色を選択する、並びに彩度及び色相を調整するために操作され、前記色相及び前記彩度である主な差は、別個のスイッチ又はボタンの代わりに、１つのシャトルスイッチボタン２１０によって制御される。１つのシャトルスイッチボタン２１０は、デジタルカメラ及び他の現代のデジタル電子製品において一般に採用されているシャトルボタンと同様であり、従って、この動作は、平均的な消費者によく知られている。
【００２６】
ボタン２１０は、直感的な光の色制御に関してユーザに情報を提供するために、図１における相当するものと同様にしるしを担持しており、自身の中央における虹２１５と、自身の周囲における他のしるしとを含んでいる。実例的には、虹２１５は、中央のものの押下が、図１に示されている色制御ボタン１４０の押下と同様に、ＲＧＢカラーホイールの周りにおいて照明源の色を循環させることを自身の中央において示している。上下における押下によるシャトルボタン２１０のロックのような、ボタン２１０の周囲の押下は、よりグレースケールである又はより有色であるかの何れも達成するために彩度を調整する。
【００２７】
様々な小さい円形のしるし２８４、２８６、２８８、２９０が、図１に示されている円形しるし１８４、１８６、１８８、１９０と関連して記載された類似の態様において、情報を提供するため又は機能するために、含まれていても良い。例えば、シャトルボタン２１０の左右の側の縁には、これらの方向におけるシャトルボタン２１０のロックが、色の選択における小さいグラデーションを達成するために一方の方向又は他の方向において色の色相を調整することを示すように、それぞれ、左を指している矢印２２０及び右を差している矢印２２５が付されている。
【００２８】
様々な実施例に関する上述の記載は、単に自然に例示的なものであり、従って、これらの変形は、本発明の範囲内にある。例えば、ユーザに、自身の様々な制御機能に関して直感的に通知することによってユーザフレンドリであるユーザインターフェース装置を提供する原理において、特定のボタンに関する最適な配置及びマーキングを識別するために、消費者試験を行うことによって、添付図面に示されている装置を幾分か変形することも望ましい。例えば、前記図面は、様々な又は変化可能な色を持つ小さい円形のしるし、及び特定の場所における特定の数の円形のしるしの特定の配置を示している。しかしながら、消費者試験は、消費者が、特に、技術及び消費者の嗜好は変化し、他の配置又はしるしがより直感的であるため、他の配置がより望ましいことを通常直感で知るであろうことを示すかもしれない。
【００２９】
従って、消費者試験が、前記ボタン上に付されているマーキングの消費者による直感的な理解及び解釈を試験するために行われることができる。例えば、前記彩度を低下させる前記彩度ボタンに関して、円形しるし１８４、１８６、１８８、１９０を取り替える又は再配置する、又は、例えば、白色を有する１つの小さい円形のしるし１８４を、このボタンの押下が当該色から離れてよりグレースケール側に色の知覚を調整することを示すために白色、灰色及び黒色に着色された３つの小さい円に置き換えるというように、種々に着色された円形のしるしを提供することが、更に情報を与えるものであり得る。色制御ボタン１４０が、例えば、赤から緑へより小さい離散的段階においてトグルスイッチを切り換える又は赤から緑に連続的な態様で変化させる代わりに、前記色制御ボタンの各押下によって更に前記色の周りの色の段階をより大きい離散的段階において有するように、ユーザによって、複数回、押下されるようにすることも好ましいものであり得る。
【００３０】
色制御、及び様々なボタンのプログラミング又は再プログラミングは、例えば、コントローラ１６５上で走るコンピュータソフトウェアプログラムによって実行されるのに適している。このようなソフトウェアは、勿論、集積チップのようなコンピュータ読み出し可能な媒体、又は他のデータも記憶することができ、コントローラ１６５の命令を演算するコントローラ１６５に結合されている周辺装置若しくはメモリ１７内に埋め込まれることができ、コントローラ１６５は、本発明による実施のための専用プロセッサを含んでいても良く又は本発明による実施のために多くの機能の１つのみが働く汎用プロセッサを含み得る。
【００３１】
メモリ１７５は、強度、色、色相及び彩度を含む特定の光の特性の所定のプリセットも含んでいても良く、特定の光源は、活性化された場合、例えば、メモリ１７５内に記憶されている関連付けられているプリセットによる光を生じるように、特定の光源に関連付けられていても良い。前記コントローラ又はプロセッサ１６５は、プログラムの一部、複数のプログラムのセグメントを利用して動作しても良く、又は専用又は汎用の集積回路を利用しているハードウェア装置であっても良い。前記ユーザインターフェース装置及び色制御を動作させるのに利用されている上述のシステムの各々は、更なるシステムと関連して利用されることができる。
【００３２】
最後に、上述の議論は、単に本発明を説明するためのものであり、添付請求項を特定の実施例又は実施例の群に制限するものとみなしてはならない。従って、本発明は、これらの特定の例示的な実施例を参照して詳細に記載されたが、多くの変更及び変形が、添付請求項に開示されている本発明の境界及び意図されている精神及び範囲から逸脱することなく、なされることができることも分かるであろう。従って、本明細書及び添付図面は、説明的な態様におけるものとみなされるべきであり、添付請求項の範囲を限定するものとみなされてはならない。
【００３３】
添付請求項の解釈において、
ａ）「有する」という語は、所与の請求項に記載されていない構成要素又は働きの存在を排除するものではなく、
ｂ）単数形の構成要素は、複数のこのような構成要素の存在を排除するものではなく、
ｃ）前記請求項における如何なる符号もこれらの範囲を制限するものではなく、
ｄ）幾つかの「手段」は、同一の項目、ハードウェア又はソフトウェアによって実施かされた構造又は機能によって表現されることもでき、
ｅ）開示されている構成要素の各々は、ハードウェアの一部（例えば別個の電子回路）、ソフトウェアの一部（例えば、コンピュータプログラミング）又はこれらの何らかの組み合わせから成るものであっても良い、
ことを理解されたい。
【図面の簡単な説明】
【００３４】
【図１】色照明システムを制御するユーザインターフェース装置の平面図である。
【図２】前記ユーザインターフェース装置の第２の実施例の平面図である。
【図１】
2009521087.tif 000003
【図２】
2009521087.tif 000004
【国際調査報告】
2009521087.tif 000005
2009521087.tif 000006
2009521087.tif 000007